【事件の表示】
　上記当事者間の登録第３３６６３８６号商標の商標登録無効審判事件について、次のとおり審決する。
【結　論】
　登録第３３６６３８６号の登録を無効とする。
　審判費用は被請求人の負担とする。
【理　由】
１．本件商標
　本件登録第３３６６３８６号商標（以下、「本件商標」という。）は、別掲第一商標に示すとおりの構成よりなり、平成７年４月１４日に登録出願、第３２類「清涼飲料，果実飲料，飲料用野菜ジュース，乳清飲料」を指定商品として、同９年１２月１２日に設定登録されたものである。
　
２．請求の趣旨及び請求人の主張
　請求人は、結論同旨の審決を求めると申し立て、その理由を次のように述べ、証拠方法として甲第１号証乃至同第６４号証（枝番を含む。）を提出した。
（１）商標法第４条第１項第１５号に関する主張
　請求人は、「カナディアンクラブ」「バランタイン」等の著名なウイスキーをはじめ、各種ワイン及びリキュール等の洋酒を世界的に販売している会社である。その傘下の洋酒関係会社あるいは請求人の関連会社は、世界中に多数存在しており、世界的に著名な「ＫＡＨＬＵＡ」（以下、別掲第二商標に示す標章を「ＫＡＨＬＵＡ」という。）の商標を付したコーヒーリキュールもその主要な取扱い商品のひとつである。
　「カルーア」は、メキシコ産のアラビカ種のコーヒー豆を原材料として製造されるコーヒーリキュールであり、請求人が所有する登録第７３７０３４号商標に示すラベルを付して世界各国で販売されている。同ラベルは、１９３７年５月２０日にアメリカにおいて最初に使用され、以後５０年以上もの間、世界各国で一貫して上記商品及び関連商品に使用されている。また、「ＫＡＨＬＵＡ（カルーア）」関連商標は、請求人又はその関連会社の名義で、日本を含む世界各国に登録、出願されていて、コーヒーリキュールの代名詞として世界的に極めて広く知られている。
　日本においては、昭和４５年にサントリー株式会社が本格的な輸入販売を初めてから飛躍的に販売量が増加し、特に、これをベースにしたカクテル「カルーアミルク」は、コーヒー牛乳のような口当たりの良さで女性や若い世代を中心に人気を博した。とりわけ女性の間では「誰でも知っているカクテル」の一つとされており、雑誌のアンケートでも最も好きなカクテルの第１位に挙げられている。また、女性誌等がカクテルの特集を組む場合には、必ず「カルーアミルク」についての記載がなされ、昭和５９年時点で、既に「カルーア」を知っていることは当然のこととして記事に書かれている。
　さらに、このことを裏付ける事実として、昭和６３年から平成３年の「輸入洋酒銘柄別輸入通関ランキング」があり、リキュール部門では、「ＫＡＨＬＵＡ（カルーア）」が常に輸入高の第１位を占めている。
　「カルーア」のこのような圧倒的な人気に鑑み、輸入元であるサントリーアライドライオンズ株式会社及び販売総代理店であるサントリー株式会社は、長年にわたって、若い女性向けの雑誌等に「カルーア」の広告を多数掲載し続けている。また、若い世代に向けたイベントやコンサート、スポーツ大会などをいわゆる「冠スポンサー」として企画・開催し、その冠に「カルーア」の名前を掲げて、より一層、同商品の宣伝販売に力を注いでいる。
　以上のことから、「カルーア」がコーヒーリキュールの商標として、本件商標の出願日である平成７年４月１４日以前から、我が国において広く知られていたことは明らかである。
　一方、本件商標の構成は、別掲第一商標のとおりであり、最上段に配された被請求人のハウスマーク「ＷＡＫＯＤＯ」と下段に表された「カルーア」「ＫＡＲＵＨＡ」は、外観上はもとより、称呼、観念上も分離して認識されること明らかである。しかして、「カルーア」という語は、請求人の「コーヒーリキュール」を表す以外に特定の意味を有さない造語である。したがって、本件商標は、明らかに請求人の著名な商標「カルーア」を利用して選択した商標と疑わざるを得ない。
　請求人は、「カルーア」及び「カルーアミルク」の人気に応えて、家庭でも気軽に「カルーアミルク」が楽しめるようにと、昭和６０年に従来のボトルの半分にあたるハーフサイズを、平成３年には、さらに小さいベビーサイズを発売し、缶飲料「カルーアミルク」を平成５年秋に発売している。これらの商品は家庭用に作られたものであり、主として酒店、スーパーマーケット、コンビニエンスストア等で販売されるため、本件の指定商品とは、流通・販売経路とも酷似する。
　したがって、仮に、請求人の著名商標「カルーア」が付された「コーヒーリキュール」や「ミルクコーヒーカクテルの缶飲料」と、本件商標の付された「缶コーヒー」や「ミルクコーヒー」とが同一店舗で並んで販売されるようなことになれば、本件商標が付された商品は、あたかも請求人又はその関連会社の製造販売する商品であるかの如く、その出所につき誤認・混同を生じさせることは必至である。
　よって、本件商標は、商標法第４条第１項第１５号に該当する。
（２）商標法第４条第１項第１６号に関する主張
　上述したように、「カルーア」という語は、請求人の「コーヒーリキュール」を表す以外に特定の意味を有さず、とくに女性や若い世代に人気のある著名なコーヒーリキュールの名前である。したがって、仮に、本件商標が付された清涼飲料等が市場に出回れば、その商品に接する者は、その清涼飲料等に請求人の「コーヒーリキュール」すなわち「酒」が入っていると商品の品質について誤認を生ずるおそれがあることは明らかである。
　よって、本件商標は、商標法第４条第１項第１６号にも該当する。
（３）商標法第４条第１項第１９号に関する主張
　「ＫＡＨＬＵＡ（カルーア）」は、コーヒーリキュールについての商標として著名であるばかりでなく、一般的な辞書や各種事典にも多数掲載されている。
　このように世界的に著名な商標を含んだ本件商標の使用・登録を容認することは、請求人の著名な商標が有する出所表示機能を稀釈化するばかりでなく、請求人の著名商標に化体した業務上の信用すなわち莫大なグッドウィルに“ただ乗り”することを認めることとなり、国際信義上穏当でない。また、このような著名な商標を含む商標の出願を本来の権利者に無断で行うことは、不正の利益を得る目的を有するものと解すべきである。
　よって、本件商標は、商標法第４条第１項第１９号にも該当する。
（４）以上詳述したとおり、本件商標は、商標法第４条第１項第１５号、同第１６号及び同第１９号の規定に該当し、同法第４６条第１項の規定により無効とされるべきである。
　
３．被請求人は、何等答弁していない。
　
４．当審の判断
（１）「ＫＡＨＬＵＡ」及び「カルーア」標章の著名性について
　本件審判請求の理由及び甲第１２号証乃至同第６４号証を総合してみるに、以下の事実が認められる。
　ａ）請求人は、ウイスキー、ワイン、リキュール等の洋酒を販売する企業であって、同人の主要な取扱商品となっている「ＫＡＨＬＵＡ」のコーヒーリキュールも、古くから世界各国で販売されている。
　そして、我が国では、昭和４５年から、「サントリー株式会社」により、上記コーヒーリキュールが輸入販売されていて、「輸入洋酒銘柄別輸入通関ランキング」（酒類飲料日報発行）によれば、昭和６３年から平成３年の間、「カルーア」のコーヒーリキュールがリキュール部門における輸入高第１位となっている。
　ｂ）また、雑誌等の広告宣伝においては、昭和５９年から平成６年にかけて発行された雑誌「ａｎ．ａｎ」（株式会社マガジンハウス発行）及びその他「プレイボーイ 」「ｗｉｔｈ」「ＭＯＲＥ」「ｎｏｎ−ｎｏ」「キャズ」等の雑誌に、「ＫＡＨＬＵＡ」コーヒーリキュールのボトルを中心にして、「ＫＡＨＬＵＡ」と「カルーア」の文字を大きく顕著に表示した広告が掲載されているほか、雑誌「ＣＬＡＳＳＹ」（光文社、昭和６０年８月発行）には、「ミルクとの相性の良さが特徴」、「ＢＲＵＴＵＳ」（株式会社マガジンハウス、昭和６３年１１月発行）には、「カクテルでお馴染みのカルーア・ミルクはこのリキュールからきている」、「毎日グラフ」（毎日新聞社、平成１年１０月発行）には、「女性に人気のカクテルは、カルーアミルクが第１位」として、カルーア・コーヒーリキュールの紹介記事が掲載されている。
　ｃ）さらに、「英和商品名辞典」（株式会社研究社、平成２年発行）の「Ｋａｈｌｕａ　カルーア」の項には、「ストレート・カクテルの基酒・コーヒーに添加・ミルク割りなどで飲む」、「新版　世界の酒事典」（株式会社柴田書店、昭和５７年５月発行）の「カルーア（Ｋａｈｌｕａ）」の項には、「コーヒーリキュールの商品名、メキシコ市でつくられているコーヒーリキュール」の記載が認められ、「世界の名酒事典」（講談社、昭和５３年１月発行）には、既に、カルーア・コーヒー・リキュールが載っていて、昭和５８年１２月、同６３年５月及び平成５年１２月発行の同事典においても、「メキシコ高原産コーヒーの風味に、バニラ香を絶妙に配した人気の高いブランド」「香り高いコーヒーの風味により、世界で最も人気の高いブランド」等として、カルーア・コーヒー・リキュールが紹介されている。
　以上の事実からみれば、「ＫＡＨＬＵＡ」及び「カルーア」標章は、遅くとも本件商標の登録出願時の平成７年には、コーヒーリキュールを表示する商標として、取引者・需要者の間に広く認識されていたものということができる。そして、該標章の著名性は、現在も継続していると認められるものである。
（２）出所の混同について
　本件商標は、別掲第二商標のとおり、「ＷＡＫＯＤＯ」「カルーア」「ＫＡＲＵＨＡ」の文字を上下三段に横書きしたものであるところ、その構成中、中段部の「カルーア」の文字は、何ら特定の意味合いを理解させない造語よりなるものであって、全体として１つの熟語を形成するものということもできない。さらに、本件商標は、その中段の「カルーア」と上下段の「ＷＡＫＯＤＯ」「ＫＡＲＵＨＡ」の文字との書体が相違するものであって、他に、これらを常に一体のものとしてのみ把握しなければならないとする格別の事情は見当たらない。
  そうとすると、前記（１）のとおり、「ＫＡＨＬＵＡ」及び「カルーア」標章が、本件商標の登録出願時には、既に、「コーヒーリキュール」を表示するものとして、取引者・需要者の間において広く認識されていたものであること、「コーヒーリキュール」と本件商標の指定商品とは、飲料としての用途を同じくするものであり、かつ、生産者、販売店を同一にする場合も少なくないなど密接な関連を有する商品であること等を併せ考慮すれば、本件商標をその指定商品に使用するときは、これに接する取引者・需要者は、その中段部の「カルーア」の文字のみを捉え、著名な「ＫＡＨＬＵＡ」及び「カルーア」標章を連想、想起し、その商品が請求人又は同人と何らかの関係がある者の業務に係るものであるかのように、その出所について混同を生ずるおそれがあったものと判断するのが相当である。
　したがって、本件商標は、請求人のその余の主張について判断するまでもなく、商標法第４条第１項第１５号の規定に違反して登録されたものであるから、同法第４６条第１項の規定により、その登録を無効とすべきものである。
　よって、結論のとおり審決する。